(57)【要約】  チップアプリケーターが提供される。本発明の一実施例によるチップアプリケーターは、化粧料を皮膚に塗布するためのものであり、所定の長さを有する支持部と、前記支持部の一端部側に連結され、可撓性を有する材質からなり、前記化粧料をユーザの皮膚に塗るための塗布部と、を含み、前記塗布部は、全体長さのうち一部の長さが前記支持部と重なるように連結される第１塗布部を含む。【選択図】図１
2021533875.tif 000002
【特許請求の範囲】
【請求項１】
化粧料を皮膚に塗布するためのチップアプリケーターにおいて、
所定の長さを有する支持部と、
前記支持部の一端部側に連結され、可撓性を有する材質からなり、前記化粧料をユーザの皮膚に塗るための塗布部と、を含み、
前記塗布部の一部と前記支持部の一部とが重なって連結されるチップアプリケーター。
【請求項２】
前記塗布部は、前記支持部と重なるように連結される第１塗布部と、前記第１塗布部の端部から延長される第２塗布部とを含む、請求項１に記載のチップアプリケーター。
【請求項３】
前記第２塗布部は、前記第１塗布部の長さ方向に対して一定角度傾斜して形成される、請求項２に記載のチップアプリケーター。
【請求項４】
前記塗布部は、前記支持部と一体で形成されるか、または着脱可能に結合される、請求項１に記載のチップアプリケーター。
【請求項５】
前記支持部は、前記第１塗布部と重なる第１部分と、前記第１部分から延長される第２部分とを含み、
前記第１部分は、前記第２部分の長さ方向に対して一定角度傾斜して連結される、請求項１に記載のチップアプリケーター。
【請求項６】
前記支持部は、前記第１塗布部の反りを防止できるように剛性を有する、請求項１に記載のチップアプリケーター。
【請求項７】
前記支持部は金属材質からなり、前記塗布部はプラスチック材質からなる、請求項６に記載のチップアプリケーター。
【請求項８】
前記塗布部は、内部領域に所定の面積を有する中空部が貫通形成される、請求項１に記載のチップアプリケーター。
【請求項９】
化粧料が一定量収容されている貯蔵容器と、
前記化粧料をつけて皮膚に塗布するための、請求項１〜８のいずれか一項に記載のチップアプリケーターと、を含む化粧料塗布装置。
【発明の詳細な説明】
【技術分野】
【０００１】
本発明は、チップアプリケーターおよびこれを含む化粧料塗布装置に関するもので、より詳細には、ユーザの皮膚と接触するチップアプリケーターの部位に応じて、ユーザに様々な塗布感を感じるようにするチップアプリケーターおよびこれを含む化粧料塗布装置に関するものである。
【背景技術】
【０００２】
リップグロスは、しっとりとして美しい唇を維持するために通常使用される化粧料塗布装置の一つである。このようなリップグロスのような化粧料塗布装置は、所定の長さを有するアプリケーター棒と、塗布部が形成されたチップアプリケーターとを含み得る。ユーザは、アプリケーター棒およびチップアプリケーターを化粧料が保存されている容器内に入れて、塗布部に化粧料をつけて外部に引き出した後、塗布しようとする皮膚に化粧料を塗布することができる。
【０００３】
しかし、従来のチップアプリケーターは、塗布部の端部側がアプリケーター棒の先端に固定される形状である。
【０００４】
これにより、皮膚に接触する接触位置に応じたタッチ感や塗布感がほとんど同じなので、化粧料を塗布しようとする部位に広く塗り伸ばしたり、ラインを描いたり、細かい部分の修正のような、それぞれ異なる作業をすることに困難がある。
【発明の概要】
【発明が解決しようとする課題】
【０００５】
本発明は、前記のような問題点を解決するためのものであり、皮膚と接触する接触部位に応じて様々な塗布感を感じられるチップアプリケーターおよびこれを含む化粧料塗布装置を提供することにその目的がある。
【０００６】
また、本発明は、使用目的に応じて適切な位置の塗布部に使用し得るチップアプリケーターおよびこれを含む化粧料塗布装置を提供することに他の目的がある。
【０００７】
さらに、本発明は、一度にキャプチャされる化粧料の量を増大させることにより、化粧料を複数回キャプチャしなくても重ね塗りが可能なチップアプリケーターおよびこれを含む化粧料塗布装置を提供することにまた他の目的がある。
【課題を解決するための手段】
【０００８】
前記のような目的を達成するために、本発明は、化粧料を皮膚に塗布するためのものであって、所定の長さを有する支持部と、前記支持部の一端部側に連結され、可撓性を有する材質からなり、前記化粧料をユーザの皮膚に塗るための塗布部と、を含み、前記塗布部の一部と前記支持部の一部とが重なって連結されるチップアプリケーターを提供する。
【０００９】
一実施例によると、前記塗布部は、前記支持部と重なるように連結される第１塗布部と、前記第１塗布部の端部から延長される第２塗布部とを含み得る。
【００１０】
一実施例によると、前記第２塗布部は、前記第１塗布部の長さ方向に対して一定角度傾斜するように形成され得る。
【００１１】
一実施例によると、前記塗布部は、前記支持部と一体に形成されるか、または着脱可能に結合され得る。
【００１２】
一実施例によると、前記支持部は、前記第１塗布部と重なる第１部分と、前記第１部分から延長される第２部分とを含み得、前記第１部分は、前記第２部分の長さ方向に対して一定角度傾斜するように形成され得る。
【００１３】
一実施例によると、前記支持部は、前記第１塗布部の反りを防止できるように剛性を有し得る。一例として、前記支持部は金属材質からなり得、前記塗布部はプラスチック材質からなり得る。
【００１４】
一実施例によると、前記塗布部は、内部領域に所定の面積を有する中空部が貫通形成され得る。
【００１５】
一方、本発明は、化粧料が一定量収容されている貯蔵容器と、前記化粧料をつけて皮膚に塗布するための、前述したチップアプリケーターと、を含む化粧料塗布装置を提供する。
【発明の効果】
【００１６】
本発明によると、皮膚と接触する接触部位に応じて様々な塗布感を感じることができ、使用目的に応じて適切な位置の塗布部を使用し得ることによって、一つの製品により化粧料を広く塗ったり、細かい修正をしたりと、様々な機能を実現することができる。
【００１７】
また、本発明によると、一度にキャプチャされる化粧料の量を増大させることにより、化粧料を複数回キャプチャしなくても重ね塗りが可能なため、使いやすさを増大し得る。
【図面の簡単な説明】
【００１８】
【図１】図１は、本発明の一実施例によるチップアプリケーターを示すものであり、前方斜視図および後方斜視図である。
【図２】図２は、図１の正面図および側面図である。
【図３】図３は、本発明の他の実施例によるチップアプリケーターを示すものであり、前方斜視図および後方斜視図である。
【図４】図４は、図３の正面図および側面図である。
【図５】図５は、本発明における図１の変形例によるチップアプリケーターを示すものであり、前方斜視図および後方斜視図である。
【図６】図６は、図５の正面図および側面図である。
【図７】図７は、本発明のまた他の実施例によるチップアプリケーターを示すものであり、前方斜視図および後方斜視図である。
【図８】図８は、図７の正面図および側面図である。
【図９】図９は、本発明によるチップアプリケーターが適用された化粧料塗布装置を示すものである。
【発明を実施するための形態】
【００１９】
以下、添付の図面を参考にして、本発明の実施例について本発明が属する技術分野において通常の知識を有する者が容易に実施できるよう詳細に説明する。本発明は、様々な異なる形態で実現され得、ここに説明する実施例に限定されない。図面において、本発明を明確に説明するために説明と関係ない部分は省略し、明細書全体に亘って同一または類似の構成要素については同一の参照符号を付加する。
【００２０】
本発明の一実施例によるチップアプリケーター１００、２００、３００、４００は、唇または皮膚のようなユーザの角質表面に化粧料を塗るためのものであって、図１〜図８に示すように支持部１１０および塗布部１２０を含む。
【００２１】
このようなチップアプリケーター１００、２００、３００、４００は、化粧品、特にリップグロスのような唇の化粧料塗布装置として実現され得るが、これに限定されるものではなく、リップグロス、アイシャドウ、ファンデーションのような化粧料をつけてユーザの皮膚に塗る形態の美容製品であれば、いずれも適用可能であることを明らかにしておく。
【００２２】
前記支持部１１０は、所定の長さを備え、端部側に連結される塗布部１２０を支持するためのものである。
【００２３】
このような支持部１１０は、一端部側が、化粧料が保存されている貯蔵容器１０の入口を覆う蓋２０と直接連結されても良く、所定の長さを備え、前記蓋２０と連結されるアプリケーター棒側に連結される形状であっても良い。
【００２４】
一例として、前記支持部１１０は、前記塗布部１２０と連結される第１部分１１１と、前記第１部分１１１から所定の長さに延長される第２部分１１２とを含み得、前記第１部分１１１は、前記塗布部１２０の一部と長さ方向で互いに重なるように連結され得る。ここで、前記第１部分１１１の全体が長さ方向で前記塗布部１２０と重ね連結されても良く、第１部分１１１の一部が長さ方向で前記塗布部１２０と重ね連結されても良い。この際、前記支持部１１０は、一部または全体が剛性を有し得、好ましくは、前記塗布部１２０と重ね連結される第１部分１１１が剛性を有し得る。
【００２５】
一例として、前記支持部１１０は、アルミニウム、金、銀などの金属材質やシリコン材質からなり得るが、前記支持部１１０の材質をこれらに限定するものではなく、前記塗布部１２０による化粧料の塗布時、前記塗布部１２０の変形や反りを防止できる剛性を有する材質であれば、いずれも適用され得ることを明らかにしておく。
【００２６】
これにより、前記塗布部１２０についている化粧料をユーザの皮膚に塗布する過程において、前記塗布部１２０のうち前記第１部分１１１に重なっている部分は、前記第１部分１１１によって支持され、変形や反りが防止されるか最小限となり得る。
【００２７】
これにより、ユーザが前記塗布部１２０のうち前記第１部分１１１によって、重ね連結された部分に接触して化粧料を塗布する場合、前記第１部分１１１によって塗布部１２０のうちの一部が安定して支持され得るので、ユーザは多少ハードで安定した塗布感を感じられる。
【００２８】
このように、本発明によるチップアプリケーター１００、２００、３００、４００は、前記塗布部１２０の全体長さのうちの一部長さに対応する部分が剛性を有する第１部分１１１により安定して支持される。したがって、前記第１部分１１１によって支持される塗布部１２０の一部と、前記第１部分１１１によって支持される部分を除いた塗布部１２０の残り部分で生じる塗布感を異に実現し得る。なお、前記支持部１１０のうち前記塗布部１２０と重ね連結される第１部分１１１は、前記第２部分１１２と同一直線上に位置するように前記第２部分１１２の端部から延長され得、前記第１部分１１１の長さ方向に対して一定角度傾斜するように連結されても良い。
【００２９】
これにより、前記第１部分１１１によって重ね連結された塗布部１２０によってユーザの皮膚に化粧料を塗布する場合、ユーザが前記第１部分１１１の端部をもって化粧料を塗布しても、前記第２部分１１２と第１部分１１１との間の傾斜構造により、前記第１部分１１１の端部がユーザの皮膚と同一面ではない、塗布しようとするユーザの皮膚の前方または後方側に位置し得る。
【００３０】
これにより、ユーザはより自然にチップアプリケーターを動かすことができるので、第１部分１１１によって重ね連結された塗布部１２０により、目的とする位置に化粧料をスムーズに塗布することができる。
【００３１】
さらに、化粧料を塗布しようとする部位が唇のように斜面であっても、第２部分１１２に対して一定角度傾斜している第１部分１１１に重ね連結された塗布部１２０により自然な接触が可能となるため、化粧料をスムーズに塗布することができる。
【００３２】
前記塗布部１２０は、ユーザの皮膚に接触され、目的とする化粧料を塗るためのもので、一端部側が前記支持部１１０に連結され得る。
【００３３】
このような塗布部１２０は、ユーザの皮膚と接触する際、化粧料がユーザの皮膚にスムーズに塗布できるように可撓性を有し得る。
【００３４】
一例として、前記塗布部１２０は、熱可塑性材質を射出成形した成形物からもなり得、フロック加工（flocking）により熱可塑性材質を射出成形した成形物の外面に複数の小さな繊維が付着されたフロッキングが形成された形状でもあり得る。しかし、前記塗布部１２０をこれに限定するものではなく、プラスチックやスポンジ等のように、可撓性を有しながらも化粧料を一定量キャプチャしてユーザの皮膚に塗布し得る形状であれば、制限なく使用され得ることを明らかにしておく。
【００３５】
この際、本発明による塗布部１２０は、前述のように、全体長さの少なくとも一部の長さが前記支持部１１０の第１部分１１１と重なるように連結され得る。
【００３６】
一例として、前記塗布部１２０は、前記支持部１１０と連結される第１塗布部１２１と、前記第１塗布部１２１の端部から延長される第２塗布部１２２とを含み得、前記第１塗布部１２１が前記支持部１１０の第１部分１１１と重なるように連結され得る。
【００３７】
これにより、前記塗布部１２０のうち第１塗布部１２１は、ユーザの皮膚と接触する際、前記第１部分１１１によって支持されることにより反りや変形が防止され得、前記第２塗布部１２２は、ユーザの皮膚と接触する際、自由な変形や反りが可能となり得る。
【００３８】
これにより、ユーザが第１塗布部１２１を皮膚に接触して化粧料を塗布する場合、前記第１塗布部１２１は前記第１部分１１１によって反りや変形が防止されることにより、安定した塗布感および使用感を実現し得る。これに対し、ユーザが第２塗布部１２２を皮膚に接触して化粧料を塗布する場合、前記第２塗布部１２２は自由な反りや変形が可能となるため、滑らかな塗布感および使用感を実現し得る。
【００３９】
これにより、ユーザは、皮膚に接触する塗布部１２０の位置に応じて異なるタッチ感や使用感および塗布感を感じることができ、化粧料を塗り伸ばしたり、ラインを描いたり、塗布された部分の微細な修正が必要な場合、皮膚と接触する塗布部１２０の位置を適切に変更することにより、所望の作業を容易に行うことができる。
【００４０】
このように、本発明によるチップアプリケーター１００、２００、３００、４００は、皮膚と接触する際の変形や反りが難しい第１塗布部１２１と、自由な変形や反りが可能な第２塗布部１２２とを含むことにより、一つの製品により様々なタッチ感や使用感および塗布感を実現し得る。
【００４１】
本発明において、前記塗布部１２０は、前記第１塗布部１２１が前記支持部１１０の第１部分１１１と一体に連結されても良く、前記第１塗布部１２１が前記第１部分１１１と着脱可能に結合されても良い。
【００４２】
この際、本発明によるチップアプリケーター１００、２００、３００、４００は、図７および図８に示すように、前記第１塗布部１２１が前記第２塗布部１２２の端部から長さ方向と平行な方向に延長される形状であっても良いが、図１〜図６に示すように、前記第１塗布部１２１および第２塗布部１２２が所定の角度をなすように形成され得る。
【００４３】
一例として、前記第２塗布部１２２は、全体長さのうち少なくとも一部の長さが、前記第１塗布部１２１の長さ方向に対して一定角度傾斜するように形成され得る。
【００４４】
具体的な一例として、前記第２塗布部１２２は、図１〜図４に示すように、前記第１塗布部１２１の端部から前記第１塗布部１２１の長さ方向に対して一定角度傾斜するように延長され得る。しかし、前記第２塗布部１２２をこれに限定するものではなく、図５および図６に示すように、前記第２塗布部１２２の全体長さのうち一部の長さが曲げられ、曲げられた残りの部分が前記第１塗布部１２１の長さ方向に対して一定角度傾斜するように形成されても良い。
【００４５】
このような場合、前記第１塗布部１２１は、図１および図５に示すように、前記第１部分１１１の右側に位置するように前記第１部分１１１と連結されても良く、図３に示すように、前記第１部分１１１の左側に位置するように前記第１部分１１１と連結されても良い。
【００４６】
これにより、前記第２塗布部１２２は、前記第１塗布部１２１に対して予め傾斜状で構成されるため、図７および図８に示された形状に比べて、より自由な反りが可能となるため、さらにスムーズな塗布感を実現し得る。
【００４７】
さらに、前記塗布部１２０が略「人」の字状に構成されることにより、折れた部分をユーザが唇に挟むと、唇と類似の形状を成すので、ユーザが別途化粧料を塗り伸ばさなくても、唇の中央部分が容易に塗布され得る。
【００４８】
一方、本発明によるチップアプリケーター１００、２００、３００、４００は、前記塗布部１２０の内部領域に所定の面積を有する中空部１３０が貫通形成され得る。
【００４９】
このような中空部１３０は、チップアプリケーター１００、２００、３００、４００を化粧料が入っている貯蔵容器１０側に挿入した後、引き出すと、化粧料を一定量の追加キャプチャできることにより、ユーザの皮膚に塗布できる化粧料の量を増加させ得る。
【００５０】
さらに、前記中空部１３０が塗布部１２０の中央領域に形成されることにより、チップアプリケーター１００、２００、３００、４００を貯蔵容器１０から引き出す過程で、中空部１３０によってキャプチャされた化粧料が貯蔵容器１０に形成されたワイパー１２によって拭き取られたり除去されたりすることが防止され得る。
【００５１】
これにより、前記中空部１３０に追加キャプチャされた化粧料は、前記塗布部１２０による化粧料塗布の際、前記塗布部１２０側に流れて化粧料を追加で供給することにより、一度のキャプチャによって追加の塗布作業が可能となり得る。
【００５２】
このような中空部１３０は、前記塗布部１２０の内部領域にのみ形成されても良いが、より多くの化粧料をキャプチャできるように、前記支持部１１０の第１部分１１１まで延長形成され得る。
【００５３】
しかし、前記塗布部１２０および支持部１１０の形状をこれに限定するものではなく、前述の中空部１３０が形成されない形状も可能であることを明らかにしておく。
【００５４】
前述のチップアプリケーター１００、２００、３００、４００は、化粧料塗布装置に適用され得る。
【００５５】
つまり、前記化粧料塗布装置は、図９に示すように、貯蔵容器１０およびチップアプリケーターを含み得、前記チップアプリケーター１００、２００、３００、４００は、前述した様々な形状のチップアプリケーター１００、２００、３００、４００のいずれも適用され得る。
【００５６】
一例として、前記チップアプリケーター１００、２００、３００、４００は、所定の長さを備え、一端部が蓋２０に固定されるロッド部３０を含み得、前記支持部１１０の端部側が前記ロッド部３０に連結される形状であり得る。しかし、前記チップアプリケーター１００、２００、３００、４００の適用形態をこれに限定するものではなく、前記支持部１１０が所定の長さで延長され、前記蓋２０に直接連結されても良い。
【００５７】
前記貯蔵容器１０は、ユーザの皮膚に塗布するための化粧料４０が一定量保存されるものであり、一方が開口された筐体状であり得、開放された一方が前記チップアプリケーター１００、２００、３００、４００を出入りさせる入口の役割を果たし得る。
【００５８】
さらに、入口の役割をする貯蔵容器１０の開放された一方は、前記貯蔵容器１０に着脱可能に結合される蓋２０により密閉され得る。
【００５９】
また、前記貯蔵容器１０の内部には、前記チップアプリケーター１００、２００、３００、４００の引き出しの際、前記塗布部１２０を除いた部分についている化粧料を除去するためのワイパー１２が備えられ得る。
【００６０】
これにより、未使用時には前記チップアプリケーター１００、２００、３００、４００が固定された蓋２０を前記貯蔵容器１０に締結することにより、化粧料が放出することを防ぐことができ、使用時には前記チップアプリケーター１００、２００、３００、４００を前記貯蔵容器１０の内部に引き入れ、前記塗布部１２０に化粧料をつけた後、ユーザの皮膚に塗布し得る。
【００６１】
なお、前述の貯蔵容器１０は公知の内容であるため、詳細な説明は省略することとし、化粧料塗布装置に適用され得る公知の一般的な形状のいずれも適用され得ることを明らかにしておく。
【００６２】
さらに、前記化粧料塗布装置は、前述のように化粧品、特にリップグロスのような唇の化粧料塗布装置であり得るが、これに限定されるものではなく、リップグロス、アイシャドウ、ファンデーション用途の塗布装置であり得ることも明らかにしておく。
【００６３】
以上において、本発明の一実施例について説明したが、本発明の思想は本明細書に提示される実施例に限定されず、本発明の思想を理解する当業者は、同一の思想範囲内において、構成要素の付加、変更、削除、追加等により他の実施例を容易に提案し得るが、これもまた本発明の思想の範囲内にあると言える。
【産業上の利用可能性】
【００６４】
本発明は、化粧品産業分野において利用可能である。
【図１】
2021533875.tif 000003
【図２】
2021533875.tif 000004
【図３】
2021533875.tif 000005
【図４】
2021533875.tif 000006
【図５】
2021533875.tif 000007
【図６】
2021533875.tif 000008
【図７】
2021533875.tif 000009
【図８】
2021533875.tif 000010
【図９】
2021533875.tif 000011
【国際調査報告】
2021533875.tif 000012
2021533875.tif 000013
2021533875.tif 000014
2021533875.tif 000015